(57)【要約】【課題】 利便性に優れ、構造の改善された真空掃除機用アクセサリ組立体を提供する。【解決手段】 本発明に係るアクセサリ組立体は、アクセサリ本体、前記アクセサリ本体と一体に形成されたクレビィス（crevice）、アップホウルスタリー（upholstery）、及び前記アクセサリ本体に移動可能に取り付けられたダスティング（dusting）を備える。【選択図】   図３
2005066334.tif 000002
【特許請求の範囲】
【請求項１】
アクセサリ本体と、
前記アクセサリ本体と一体に形成されたクレビィスおよびアップホウルスタリーと、
前記アクセサリ本体に移動可能に取付けられたダスティングと、
を含むことを特徴とする真空掃除機用アクセサリ組立体。
【請求項２】
前記アクセサリ本体、クレビィスおよびアップホウルスタリーは、一体型となって連通していることを特徴とする請求項１に記載のアクセサリ組立体。
【請求項３】
前記ダスティングは、前記アクセサリ本体の外面を取り囲むように取り付けられていることを特徴とする請求項１に記載のアクセサリ組立体。
【請求項４】
前記クレビィスと前記アップホウルスタリーは、前記アクセサリ本体を挟んで互いに向かい側に一体型として設けられていることを特徴とする請求項１に記載のアクセサリ組立体。
【請求項５】
前記クレビィスは、前記アクセサリ本体の径より小さな吸込口を有し、前記アップホウルスタリーは、前記アクセサリ本体の径より大きな拡張部を有し、前記ダスティングは、ブラシを有することを特徴とする請求項１に記載のアクセサリ組立体。
【請求項６】
前記アクセサリ本体には、前記ダスティングをガイドするレール溝が形成され、前記ダスティングの内部一側には、前記レール溝に対応するレール突起が形成されていることを特徴とする請求項５に記載のアクセサリ組立体。
【請求項７】
前記レール溝の一側端には、前記レール突起を固定する第1のロック突起が形成され、前記レール溝の他側端には、前記ダスティングが所定角度で回動して固定されるように折り曲げられた折曲レールが設けられ、前記折曲レールには、第２のロック突起が形成されていることを特徴とする請求項６に記載のアクセサリ組立体。
【請求項８】
前記ダスティングの前記第２のロック突起への結合時、前記ブラシが前記クレビィスの前記吸収口より延びて前記アクセサリ本体に固定されることを特徴とする請求項７に記載のアクセサリ組立体。
【請求項９】
前記アップホウルスタリーの拡張部には、被掃除面と接触する床ブラシが設けられていることを特徴とする請求項５に記載のアクセサリ組立体。
【請求項１０】
前記クレビィスの吸込口には、前記アクセサリ本体に対して傾斜し、前記ブラシは、前記クレビィスの吸込口と同じ方向に傾斜していることを特徴とする請求項５に記載のアクセサリ組立体。
【請求項１１】
前記アップホウルスタリーの拡張部は、前記アクセサリ本体を中心に前記クレビィスの前記吸込口の傾斜方向と互いに対称となるように形成されていることを特徴とする請求項１０に記載のアクセサリ組立体。
【発明の詳細な説明】
【技術分野】
【０００１】
本発明は、真空掃除機用アクセサリ組立体に関し、更に詳細には、アクセサリのアップホウルスタリー（upholstery）、クレビィス（crevice）がアクセサリ本体に一体に形成され、ダスティング（dusting）がアクセサリ本体に移動可能に取付けられたアクセサリ組立体に関する。
【背景技術】
【０００２】
図１に示すように、一般の真空掃除機は、吸込力を発生させる真空発生装置（図示せず）が設けられた本体１０と、使用者操作のためのハンドル管２０と、ハンドル管２０と本体１０とを連結するフレキシブルホース１５と、被掃除面と接して被掃除面上の塵埃や汚れを吸い込む吸込ブラシ３５と、吸込ブラシ３５が着脱可能に結合され、ハンドル管２０と連結された延長管２５とを備えてなる。
【０００３】
真空掃除機は、吸込ブラシ３５を代替して被掃除面に沿った掃除作業を行うための種々のアクセサリを有する。一例として、隅や隙間等のような被掃除面を掃除する際に、延長管２５から吸込ブラシ３５を取り外して、代わりにクレビィス３１やブラシ３３を取り付けることで、効果的な掃除作業を行うことができる。延長管２５には、クレビィス３１やブラシ３３を保管するためにアクセサリ収納装置３０が設けられる。
【０００４】
収納装置３０には、ブラシ３３やクレビィス３１の着脱を行うために複数の着脱突起３４が形成され、これによって、ブラシ３３やクレビィス３１等のアクセサリを簡単に取付けることができる。
【０００５】
以下、斯かる構成を有する一般の真空掃除機の作動について簡潔に説明する。
【０００６】
先ず、真空掃除機の電源を入れると、掃除機本体１０で吸込力が発生し、被掃除面の塵埃や汚れを含む空気は、吸込ブラシ３５の中に吸い込まれ、延長管２５、ハンドル管２０、及びフレキシブルホース１５を通って掃除機本体１０内に捕集される。
【０００７】
被掃除面が狭い隙間や隅であるような場合、延長管３５から吸込ブラシ３５を取り外して、延長管３５のアクセサリ収納装置３０に格納されているブラシ３３やクレビィス３１の中から必要なものを取り外して、延長管２５に取り付ける。
【０００８】
このように、クレビィス３１やブラシ３３を用いることにより、吸込ブラシ３５で掃除しにくい隅や隙間等を容易に掃除することができる。
【０００９】
しかしながら、このような従来の真空掃除機では、次のような不都合がある。
【００１０】
（1）ブラシ３３やクレビィス３１のような種々のアクセサリが一体型でなく、別々に設けられているため、大きなスペースが必要であり、保管面積が増大する。
【００１１】
（2）ブラシ３３による所定空間の掃除作業中、クレビィス３１で狭い隙間を掃除しようとする場合、掃除機の作動を一旦止めて、延長管２５からブラシ３３を取り外した後、クレビィス３１を延長管２５に取り付ける必要があるため、連続的な掃除作業が困難となり、不便である。
【００１２】
（3）ブラシ３３やクレビィス３１がそれぞれ別体として形成されているため、生産単価がアップする。
【発明の開示】
【発明が解決しようとする課題】
【００１３】
本発明は、前述の不都合を解決するためになされたものであって、本発明の目的は、使用者が便利に使用でき、構造の改善された真空掃除機用アクセサリ組立体を提供することにある。
【課題を解決するための手段】
【００１４】
上記の目的を達成するための本発明による真空掃除機用アクセサリ組立体は、アクセサリ本体、前記アクセサリ本体と一体に形成されたクレビィスおよびアップホウルスタリー、および前記アクセサリ本体に移動可能に取付けられたダスティングを備えてなる。
【００１５】
また、前記アクセサリ本体、クリビィスおよびアップホウルスタリーは、一体型となって連通しており、前記ダスティングは、前記アクセサリ本体の外面を取り囲むように取付けられることが好ましい。
【００１６】
また、前記クレビィスと前記アップホウルスタリーとは、前記アクセサリ本体を挟んで互いに向かい側に一体型として設けられていることが好ましく、前記クレビィスは、前記アクセサリ本体の径より小さな吸込口を有し、前記アップホウルスタリーは、前記アクセサリ本体の径より大きな拡張部を有し、前記ダスティングは、ブラシを有することが好ましい。
【００１７】
この時、前記アクセサリ本体には、前記ダスティングをガイドするレール溝が形成され、前記ダスティングの内部一側には、前記レール溝に対応するレール突起が形成されることができ、前記レール溝の一側端には、前記レール突起を固定する第1のロック突起が形成され、前記レール溝の他側端には、前記ダスティングが所定角度で回動して固定されるように折り曲げられた折曲レールが設けられ、前記折曲レールには、第２のロック突起が形成されていることが好ましい。
【００１８】
また、前記ダスティングの前記第２のロック突起への結合時、前記ブラシが前記クエビィスの前記吸収口より延びて前記アクセサリ本体に固定されることが好ましく、前記アップホウルスタリーの拡張部には、被掃除面と接触する床ブラシが設けられていることが好ましい。
【００１９】
また、前記クレビィスの吸込口には、前記アクセサリ本体に対して傾斜し、前記ブラシは、前記クレビィスの吸込口と同じ方向に傾斜していることが好ましく、前記アップホウルスタリーの拡張部は、前記アクセサリ本体を中心に前記クレビィスの前記吸込口の傾斜方向と互いに対称となるように形成されていることが好ましい。
【発明の効果】
【００２０】
以上のように、本発明に係る真空掃除機用アクセサリ組立体は、一体型として形成され、コンパクトな構造で占有面積が小さく、狭い隙間の掃除作業を行う時、選択的にダスティングを用いて便利に掃除することができ、更に、アクセサリの保管および使用が便利である。
【００２１】
また、アクセサリのクレビィスおよびアップホウルスタリーが、一体に形成されるため、生産単価および生産工程を減らすことができ、経済的である。
【発明を実施するための最良の形態】
【００２２】
以下、図面に参照して、本発明の好適な実施の形態を詳細に説明する。
【００２３】
図２は、本発明に係るアクセサリ組立体を備えた真空掃除機の斜視図である。本発明に係るアクセサリ組立体が採用された真空掃除機は、吸込力を発生させる真空発生装置（図示せず）が設けられた本体５０と、使用者の操作のためのハンドル管６０と、ハンドル管６０と本体５０とを連結するフレキシブルホース５５と、被掃除面と接して被掃除面の塵埃や汚れを吸い込む吸込ブラシ７０と、吸込ブラシ７０が着脱できるように結合され、ハンドル管６０と連結される延長管６５とを備えてなる。
【００２４】
ハンドル管６０とフレキシブルホース５５との間には、連結パイプ７５が設けられる。連結パイプ７５には、テンションリブ７７が一体に形成される。テンションリブ７７には、本発明に係るアクセサリ組立体１００が着脱可能に結合される。
【００２５】
ハンドル管６０には、延長管６５が着脱可能に結合される。吸込ブラシ７０による掃除が容易でない隅や隙間を掃除しようとする場合、ハンドル管６０から延長管７０を分離し、次いで、テンションリブ７７からアクセサリ組立体１００を分離した後、ハンドル管６０に結合して使用することとなる。
【００２６】
以下、図３を参照して本発明に係るアクセサリ組立体１００について詳説する。
【００２７】
本発明に係る真空掃除機用アクセサリ組立体１００は、大別して、アクセサリ本体１１０、アクセサリ本体１１０と一体に形成されたクレビィス１３０及びアップホウルスタリー１５０、並びにアクセサリ本体１１０に移動可能に取付けられたダスティング１７０を有する。
【００２８】
アクセサリ本体１１０、クレビィス１３０及びアップホウルスタリー１５０は、一体に形成されて互いに連通している。クレビィス１３０とアップホウルスタリー１５０は、アクセサリ本体１１０を挟んで互いに向かい側に一体型として形成される。
【００２９】
アクセサリ本体１１０は、略円筒形であることが好ましい。アクセサリ本体１１０には、ダスティング１７０をガイドするレール溝１１５が設けられる。ダスティング１７０の内部一側には、レール溝１１５に対応するレール突起１７５が設けられる。従って、ダスティング１７０がアクセサリ本体１１０上でレール溝１１５に沿って動くようになる。
【００３０】
レール溝１１５の一側端には、レール突起１７５を固定する第１のロック突起１２０が形成される。レール溝１１５の他側端には、ダスティング１７０が所定角度で回動して固定されるようにするための折曲レール１２５が設けられる。折曲レール１２５には、第２のロック突起１３０が形成される。
【００３１】
ダスティング１７０は、アクセサリ本体１１０の外面を取り囲むようにアクセサリ本体１１０上に取付けられ、クレビィス１３０とアップホウルスタリー１５０との間をレール溝１１５に沿って運動する。ダスティング１７０は、アクセサリ本体１１０の形状に対応するように形成され、好ましくは、略円筒形の形状に形成される。
【００３２】
ダスティング１７０は、クレビィス１３０に向かって一定の間隔を置いて配置されたブラシ１７３を備える。斯かるブラシ１７３を用いることで隅や窓枠などの塵埃を容易に掃除することができる。
【００３３】
ダスティング１７０が第２のロック突起１３０に係合する場合、ブラシ１７３がクレビィス１３０に形成された吸込口１３５より延びてアクセサリ本体１１０に固定される。従って、第２のロック突起１３０に固定される場合、容易にダスティング１７０がクレビィス１３０に向かう前方に突出して固定され（図４Ｂ参照）、これによって、クレビィス１３０による隅の掃除作業中、必要に応じて選択的にダスティング１７０を使用することができる。
【００３４】
クレビィス１３０は、アクセサリ本体１１０の一側にアクセサリ本体１１０の径より小さく形成される吸込口１３５を有する。アクセサリ本体１１０の径より小さいため、使用者が容易に隅や隙間へアクセサリ組立体１００を入れて掃除を行うことができる。なお、クレビィス１３０の吸込口１３５は、四角形状であり、吸込口１３５の形状は、四角形状に限定されるのではなく、必要に応じて例えば、円筒形のように種々の形状に変えることが可能である。
【００３５】
アップホウルスタリー１５０は、アクセサリ本体１１０の他側にクレビィス１３０と反対方向にアクセサリ本体１１０の径より大きく形成された拡張部１５５が設けられる。
【００３６】
拡張部１５５は、半円形状となっているが、これに限定されるのではなく、必要に応じて、例えば、三角形のように種々の形状に変えることができる。拡張部１５５には、被掃除面と接触する床ブラシ１６０が設けられる。具体的には、アップホウルスタリー１５０を用いてソファやカーテンなどのような織物素材を掃除する場合、一定部分において摩擦力を作用して滑り難くし、また、織物に付いた塵埃や汚れを掻き出す働きをする。従って、アクセサリ本体１１０の径より広い拡張部１５５および床ブラシ１６０を備えているため、容易に織物などの掃除作業を行うことが可能となる。
【００３７】
クレビィス１３０の吸込口１３５は、アクセサリ本体１１０に対して傾斜し、ダスティング１７０のブラシ１７３は、クレビィス１３０の吸込口１３５と同じ方向に傾斜するように形成される。また、クレビィス１３０の吸込口１３５の傾斜方向とアップホウルスタリー１５０の前記拡張部１５５の傾斜方向とがアクセサリ本体１１０を中心に互いに対称となる。かかるブラシ１７３とクレビィス１３０および拡張部１５５との傾斜方向は、当業者が必要によって一定の方向にすることができる。従って、一般の吸込ブラシ７０では掃除が困難な隅などを容易に掃除することが可能となる。
【００３８】
アクセサリ本体１１０の内部と、クレビィス１３０の吸込口１３５およびアップホウルスタリー１５０の拡張部１５５とが連通して空気流路を形成することで、真空掃除機のハンドル管６０に取付けて吸込力を発生すると、塵埃を含む空気を吸い込んで掃除を行うことが可能となる。
【００３９】
以下、図４Ａ〜４Ｃを参照して本発明に係るアクセサリ組立体の作動について簡潔に説明する。図４Ａは、本発明に係るアクセサリ組立体のクレビィスの作動、図４Ｂは、同組立体のダスティングの作動、図４Ｃは、同組立体のアップホウルスタリーの作動をそれぞれ示す。
【００４０】
掃除機の電源を入れると、真空掃除機本体５０で吸込力が発生し、被掃除面の塵埃や汚れを含む空気は、吸込ブラシ７０の中に吸い込まれ、延長管６５、ハンドル管６０およびフレキシブルホース５５を通って真空掃除機本体５０内に捕集される（図２参照）。
【００４１】
ここで、被掃除面が狭い隙間または隅である場合、使用者は、前記ハンドル管６０から前記延長管６５を分離し、また、前記連結パイプ７５のテンションリブ７７から前記アクセサリ組立体１００を分離した後、前記ハンドル管６０に取り付ける。
【００４２】
この時、使用者が狭い隙間または隅を掃除しようとする場合、アクセサリ組立体１００のクレビィス１３０を用いて掃除を行うこととなり（図４Ａ）、隅や隙間において塵埃の吸込みが容易でない場合やブラシを用いて掃除を行う必要がある場合は、ダスティング１７０をクレビィス１３０に向かってレール溝１１５に沿って引っ張る。
【００４３】
その後、折曲レール１２５に沿って所定角度で回転して第２のロック突起１３０に固定することでダスティング１７０を使用することが可能となる。従って、使用者は、掃除途中にダスティング１７９を使用するために掃除を中断させる必要がなく、掃除を行いながら必要に応じて選択的にダスティング１７０を使用することができる。
【００４４】
また、使用者がソファ、ベッド、カーテンなどのような織物素材を掃除しようとする場合、ハンドル管６０からアクセサリ組立体１００を分離し、クレビィス１３０方向にアクセサリ組立体１００をハンドル管６０に取り付ける。また、アクセサリ組立体１００のアップホウルスタリー１５０を使用してカーテンやソファなどを容易に掃除することができる。
【００４５】
従って、使用者が必要に応じて容易にダスティングまたはアップホウルスタリーまたはクレビィスを使用することが可能となる。
【００４６】
以上、図面を参照して本発明の好適な実施形態を説明してきたが、本発明の保護範囲は、前述の実施形態に限定されるものではなく、特許請求の範囲に記載された発明とその均等物にまで及ぶものである。
【産業上の利用可能性】
【００４７】
本発明は、真空掃除機用アクセサリ組立体に適用可能であり、また、真空掃除機に使用される補助ブラシにおいても適用可能である。
【図面の簡単な説明】
【００４８】
【図１】一般の真空掃除機の概略的な構造を示す全体斜視図である。
【図２】本発明に係るアクセサリ組立体を備えた真空掃除機の全体斜視図である。
【図３】本発明の好適な実施形態に係るアクセサリ組立体の要部を示す分解斜視図である。
【図４Ａ】本発明に係るアクセサリ組立体のクレビィスの作動を示す側面図である。
【図４Ｂ】本発明に係るアクセサリ組立体のダスティングの作動を示す側面図である。
【図４Ｃ】本発明に係るアクセサリ組立体のアップホウルスタリーの作動を示す側面図である。
【符号の説明】
【００４９】
１００    アクセサリ組立体
１１０    アクセサリ本体
１３０    クレビィス
１３５    吸込口
１５０    アップホウルスタリー
１５５    拡張部
１７０    ダスティング
１７３    ブラシ
【図１】
2005066334.tif 000003
【図２】
2005066334.tif 000004
【図３】
2005066334.tif 000005
【図４Ａ】
2005066334.tif 000006
【図４Ｂ】
2005066334.tif 000007
【図４Ｃ】
2005066334.tif 000008